(57)【要約】      （修正有）【課題】照明装置にＬＥＤ照明装置を使用する場合に、消費電力を上昇させること無く、整流板への縞模様出現防止対策をする。【解決手段】断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、吹出口近くに商品収納庫を照らす照明装置を設け、該吹出口から吹き出す冷気で開口に冷気エアーカーテンを形成して商品出し入れ用の開口を閉塞するとともに、商品収納庫内を冷却する冷凍・冷蔵オープンショーケースにおいて、照明装置はＬＥＤ素子が複数設けられたＬＥＤ照明装置２４であり、ＬＥＤ２５素子の外側を吹出口の整流板１５の方向部分を半透明３０とし、その他部分を透明３１としたカバー部材２７で覆う。【選択図】図３
2013215497.tif 000002
【特許請求の範囲】
【請求項１】
断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、吹出口近くに商品収納庫を照らす照明装置を設け、該吹出口から吹き出す冷気で開口に冷気エアーカーテンを形成して商品出し入れ用の開口を閉塞するとともに、商品収納庫内を冷却するショーケースにおいて、
前記照明装置はＬＥＤ素子が複数設けられたＬＥＤ照明装置であり、ＬＥＤ素子の外側を吹出口の整流板方向部分を半透明とし、その他部分を透明としたカバー部材で覆うことを特徴とするショーケース。
【請求項２】
カバー部材は、ＬＥＤ照明装置を構成するＬＥＤ素子基板を被覆し、且つ、当該基板を保持するものである請求項１記載のショーケース。
【請求項３】
カバー部材は、ＬＥＤ照明装置とは独立させ、移動可能に設ける請求項１記載のショーケース。
【請求項４】
整流板方向と反対側の光は、ショーケースキャノピー内の反射板の反射をもって整流板に導く請求項１ないし請求項３のいずれかに記載のショーケース。
【発明の詳細な説明】
【技術分野】
【０００１】
本発明は、本発明は、冷気を循環させることにより冷蔵・冷凍商品を陳列収納することができるショーケースに関するものである。
【背景技術】
【０００２】
従来この種のショーケース１は、下記特許文献１の図５に示されるように断面略コ字状の断熱壁２と、この断熱壁２の両側に取り付けられた側板３とからなり、断熱壁２の内側には間隔を存して仕切板４を取り付け、この仕切板４と断熱壁２間をダクト６としている。
【特許文献１】特開２０１１−２５０９９２号公報
【０００３】
図５の例は前記ダクト６を更に仕切板１０で仕切り、冷却装置の冷却器１７を縦設した冷気ダクト６ａと保護気流ダクト６ｂとに区画し、断熱壁２の前面開口９の上縁にはハニカム盤１１ａ，１１ｂを設けて吹出口１２ａ，１２ｂを形成しており、この吹出口１２ａは冷気ダクト６ａに連通し、吹出口１２ｂは保護気流ダクト６ｂに連通し、開口９の下縁には吸込口１３を形成する。
【０００４】
仕切板４の下端前方には底板７を断熱壁２の底壁との間にダクト用の間隔を存して取り付けており、これら仕切板４及び底板７の内側を貯蔵室８としている。
【０００５】
一方、底板７下方には断熱壁２の底壁上にファンケース１４が設置されており、このファンケース１４には送風機１６を取り付けた。
【０００６】
更に、断熱壁２の底壁の下方は機械室２３となり、内蔵型ショーケースにおいてはここに冷却装置を構成する凝縮器や圧縮機、凝縮器用送風機等を設置している。
【０００７】
このようにして送風機１６を運転して冷却器１７と熱交換した冷気は冷気ダクト６ａ内を上昇し、吹出口１２ａより吸込口１３に向かって吐出され、開口９を閉塞する冷気エアーカーテンを形成する。
【０００８】
また、送風機１６から保護気流ダクト６ｂに送り込まれた空気は、吹出口１２ｂより吸込口１３に向かって吐出され、冷気エアーカーテンの保護気流である保護気流エアーカーテンを形成する。
【０００９】
そして、吸込口１３から吸い込まれた冷気および保護気流は再び送風機１６によって加速され、冷気エアーカーテンの一部が貯蔵室８内に循環されて、貯蔵室８は冷却される。
【００１０】
貯蔵室８内には上下に複数段の棚１８を架設し、各棚１８の下面前部には蛍光灯による照明装置２２を取り付けている。
【００１１】
一方、断熱壁２の開口９の上方で、吹出口１２ｂの前側にも蛍光灯による照明装置２２を設ける。この照明装置２２は断熱壁２に取り付けられる反射板２１の内側に取り付けられる。これにより、陳列室内の棚上に陳列収納される商品は、蛍光灯により照明される。また、前記吹出口１２ｂには前面側に整流板１５が垂下される。
【００１２】
なお、照明装置２２としては、蛍光灯に限定されるものではなく、下記特許文献にもあるように最近では、蛍光灯に代わって、指向性の高いＬＥＤ素子を用いた照明装置等が採用されていて、係るＬＥＤ照明装置は、例えば複数のチップタイプのＬＥＤ素子が配設された基板により構成され、この基板を被覆し、且つ、この基板を保持する透明のカバー部材を有する。
【特許文献２】特開２０１０−２００９８５号公報
【発明の概要】
【発明が解決しようとする課題】
【００１３】
このように、ＬＥＤ照明装置は、ＬＥＤ素子が複数設けられた基板と、この基板を被覆し、且つ、この基板を保持する透光性のカバー部材とから成り、透明のＬＥＤモジュールカバーではＬＥＤ素子ピッチによる明暗の縞が整流板に出来てしまい整流板に貼り付けたチラシ等が読みにくくなってしまう。
【００１４】
この縞模様を低減させるためにはモジュールカバーをスモーク（半透明）にし、光を拡散させることが有効である。しかし、カバーをスモークにしてしまうと照射効率が非常に悪くなりスノコ部分の明るさを確保するために消費エネルギーが増えてしまう。
【００１５】
本発明の目的は前記従来例の不都合を解消し、照明装置にＬＥＤ照明装置を使用する場合に、消費電力を上昇させること無く、整流板への縞模様出現防止対策をすることができる冷凍・冷蔵オープンショーケースを提供することにある。
【課題を解決するための手段】
【００１６】
前記目的を達成するため、請求項１記載の本発明は、断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、吹出口近くに商品収納庫を照らす照明装置を設け、該吹出口から吹き出す冷気で開口に冷気エアーカーテンを形成して商品出し入れ用の開口を閉塞するとともに、商品収納庫内を冷却する冷凍・冷蔵オープンショーケースにおいて、前記照明装置はＬＥＤ素子が複数設けられたＬＥＤ照明装置であり、ＬＥＤ素子の外側を吹出口の整流板方向部分を半透明とし、その他部分を透明としたカバー部材で覆うことを要旨とするものである。
【００１７】
請求項１記載の本発明によれば、ＬＥＤ照明装置からの光は整流板方向へは、カバー部材の半透明による光拡散構造を通過させることで、縞模様の出現防止を防止できる。また、ショーケース庫内には拡散構造を通過させないので、通常の照明が得られる。
【００１８】
請求項２記載の本発明は、カバー部材は、ＬＥＤ照明装置を構成するＬＥＤ素子基板を被覆し、且つ、当該基板を保持するものであること、請求項３記載の本発明は、カバー部材は、ＬＥＤ照明装置とは独立させ、移動可能に設けること、請求項４記載の本発明は、整流板方向と反対側の光は、ショーケースキャノピー内の反射板の反射をもって整流板に導くことを要旨とするものである。
【００１９】
請求項２記載の本発明によれば、ＬＥＤ照明装置を構成するカバー部材をもって光拡散構造が得られ、請求項３記載の本発明によれば、ＬＥＤ照明装置とは別体のカバー部材でその外側を覆うことで、市販のＬＥＤ照明装置を使用しても光拡散構造が得られ、かつ、移動可能に設けることで必要に応じた使用ができる。
【００２０】
請求項４記載の本発明によれば、整流板にはカバー部材の半透明による光拡散構造を通過した光とショーケースキャノピー内の反射板の反射による光とを合わせて照射でき、半透明にしたことによる光量の低下で整流板に貼り付けたチラシ等が読みにくくなるおそれはない。
【発明の効果】
【００２１】
以上述べたように本発明のショーケースは、照明装置にＬＥＤ照明装置を使用する場合に、消費電力を上昇させること無く、整流板への縞模様出現防止対策をすることができるものである。
【発明を実施するための形態】
【００２２】
以下、図面について本発明の実施の形態を詳細に説明する。図１は本発明の冷凍・冷蔵オープンショーケースのＬＥＤ照明装置の斜視図、図２は同上縦断側面図、図３はショーケースのキャノピー部分の縦断側面である。
【００２３】
なお、ショーケースの全体の構造については、前記図４で説明したように、断面略コ字状の断熱壁２と、この断熱壁２の両側に取り付けられた側板３とからなり、断熱壁２の内側には間隔を存して仕切板４を取り付け、この仕切板４と断熱壁２間をダクト６と、前記ダクト６を更に仕切板１０で仕切り、冷却装置の冷却器１７を縦設した冷気ダクト６ａと保護気流ダクト６ｂとに区画し、断熱壁２の前面開口９の上縁にはハニカム盤１１ａ，１１ｂを設けて吹出口１２ａ，１２ｂを形成しており、この吹出口１２ａは冷気ダクト６ａに連通し、吹出口１２ｂは保護気流ダクト６ｂに連通し、開口９の下縁には吸込口１３を形成するものである。
【００２４】
また、前記吹出口１２ｂには前面側に整流板１５が垂下される。
【００２５】
仕切板４の下端前方には底板７を断熱壁２の底壁との間にダクト用の間隔を存して取り付けており、これら仕切板４及び底板７の内側を貯蔵室８とし、一方、底板７下方には断熱壁２の底壁上にファンケース１４が設置されており、このファンケース１４には送風機１６を取り付ける。
【００２６】
更に、断熱壁２の底壁の下方は機械室２３となり、内蔵型ショーケースにおいてはここに冷却装置を構成する凝縮器や圧縮機、凝縮器用送風機等を設置する。
【００２７】
送風機１６を運転して冷却器１７と熱交換した冷気は冷気ダクト６ａ内を上昇し、吹出口１２ａより吸込口１３に向かって吐出され、開口９を閉塞する冷気エアーカーテンを形成する。また、送風機１６から保護気流ダクト６ｂに送り込まれた空気は、吹出口１２ｂより吸込口１３に向かって吐出され、冷気エアーカーテンの保護気流である保護気流エアーカーテンを形成する。
【００２８】
そして、吸込口１３から吸い込まれた冷気および保護気流は再び送風機１６によって加速され、冷気エアーカーテンの一部が貯蔵室８内に循環されて、貯蔵室８は冷却される。
【００２９】
図３にも示すように、天井部分（キャノピー部分）には庫内商品を照らす照明装置や営業時間外等で使用する保冷用のナイトカバー５、また庫内に冷気を送り出す吹出口１２ａ，１２ｂ｛整流板１５、ハニカム盤１１ａ，１１ｂ｝等の部品が多数設置されているが。本発明はこの照明装置にＬＥＤ素子２５が複数設けられたＬＥＤ照明装置２４を使用する。
【００３０】
このＬＥＤ照明装置２４は断熱壁２に取り付けられる反射板２１の内側に取り付けられる。反射板２１は、例えば白色塗装された鋼板や鏡面加工された鋼板であり、ＬＥＤ照明装置２４の前後を覆うように傘状に降下した形状を呈している。
【００３１】
前記ＬＥＤ照明装置２４は、チップタイプの白色の複数のＬＥＤ素子２５が所定間隔を存して配設された基板２６と、ＬＥＤ素子２５を外方から被覆する矩形体のカバー部材２７により構成した。
【００３２】
このカバー部材２７は、上面が開口されており、この開口内縁には、開口側から挿入される基板２６を着脱自在に保持するための係合爪２８を形成している。
【００３３】
そして、カバー部材２７は、ＬＥＤ素子２５の照射で吹出口１２ｂの整流板１５の方向部分を半透明３０とし、その他部分を透明３１とした。
【００３４】
このようにして、ＬＥＤ照明装置２４のＬＥＤ素子２５からの光は整流板１５の方向へは、カバー部材２７の半透明３０による光拡散構造を通過させることで、縞模様の出現防止を防止できる。
【００３５】
また、ＬＥＤ照明装置２４のＬＥＤ素子２５からの光はショーケースの貯蔵室８内には拡散構造を通過させないので、通常の照明が得られる。
【００３６】
さらに、整流板１５の方向と反対側の光は、ショーケースキャノピー内の反射板２１の反射をもって整流板１５に導くものとする。
【００３７】
これにより、整流板１５にはカバー部材２７の半透明３０による光拡散構造を通過した光とショーケースキャノピー内の反射板２１の反射による光とを合わせて照射でき、半透明３０にしたことによる光量の低下で整流板に貼り付けたチラシ等が読みにくくなるおそれはない。
【００３８】
図４は本発明の第２実施例を示すもので、ＬＥＤ照明装置２４とは独立させたカバー部材３２により、ＬＥＤ照明装置２４の外側を覆うようにした。
【００３９】
このカバー部材３２は前記第１実施形態のカバー部材２７と同じく、ＬＥＤ素子２５の照射で吹出口１２ｂの整流板１５の方向部分を半透明３０とし、その他部分を透明３１とした。
【００４０】
前記第１実施形態と同じく、ＬＥＤ照明装置２４のＬＥＤ素子２５からの光は整流板１５の方向へは、カバー部材３２の半透明３０による光拡散構造を通過させることで、縞模様の出現防止を防止できる。
【００４１】
また、カバー部材３２はガイドレール３３等で移動可能に吊り支承した。これにより、不要時にはＬＥＤ照明装置２４から外しておくことができる。
【図面の簡単な説明】
【００４２】
【図１】本発明のショーケースのＬＥＤ照明装置の斜視図である。
【図２】本発明のショーケースのＬＥＤ照明装置の縦断側面図である。
【図３】本発明のショーケースのキャノピー部分の縦断側面である。
【図４】本発明のショーケースのＬＥＤ照明装置部分の他の実施形態を示す縦断側面図である。
【図５】ショーケースの概要を示す縦断側面図である。
【符号の説明】
【００４３】
１…オープンショーケース        ２…断熱壁
３…側板                        ４…仕切板
５…ナイトカバー                ５ａ…巻き取り部
６，６ａ，６ｂ  ダクト
７…底板                        ８…貯蔵室
９…開口                        １０…仕切板
１１ａ，１１ｂ…ハニカム盤      １２ａ，１２ｂ…吹出口
１３…吸込口                    １４…ファンケース
１５…整流板                    １６…送風機
１７…冷却器                    １８…棚
１９…蛍光灯                    ２０…フック
２１…反射板                    ２２…照明装置
２３…機械室
２４…ＬＥＤ照明装置            ２５…ＬＥＤ素子
２６…基板                      ２７…カバー部材
２８…係合爪
３０…半透明                    ３１…透明
３２…カバー部材                ３３…ガイドレール
【図１】
2013215497.tif 000003
【図２】
2013215497.tif 000004
【図３】
2013215497.tif 000005
【図４】
2013215497.tif 000006
【図５】
2013215497.tif 000007